【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
第１ヘッダ情報部及びスクランブル処理された第２ヘッダ情報部を含むヘッダ部を有するフレームを通信する通信装置であって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部のそれぞれで算出されたシンドローム値に応じて、前記複数のデスクランブラの内の一つでデスクランブルされたヘッダ部を受信ヘッダとして選択する選択手段と、
を有することを特徴とする通信装置。
【請求項２】
前記第１ヘッダ情報部はＰＨＹヘッダで、前記第２ヘッダ情報部はＭＡＣヘッダであることを特徴とする請求項１に記載の通信装置。
【請求項３】
前記選択手段は、前記複数のシンドローム演算部のそれぞれで算出されたシンドローム値の内、シンドローム値０に対応するデスクランブラによりデスクランブルされたヘッダ部を選択することを特徴とする請求項１又は２に記載の通信装置。
【請求項４】
前記複数のシンドローム演算部のそれぞれで算出されたシンドローム値のいずれもが０でない場合、前記第１ヘッダ情報部に含まれるスクランブルインデックスに対応するデスクランブラによりデスクランブルされたヘッダ部を選択することを特徴とする請求項３に記載の通信装置。
【請求項５】
前記複数のシンドローム演算部のそれぞれは、前記ヘッダ部に含まれるチェックサムに基づいて、巡回冗長検査符号に従うシンドローム演算を行うことを特徴とする請求項１乃至４のいずれか１項に記載の通信装置。
【請求項６】
前記複数のデスクランブラは、前記第２ヘッダ情報部に対してそれぞれ異なる擬似ランダムシーケンスを用いてデスクランブル処理を行うことを特徴とする請求項１乃至５のいずれか１項に記載の通信装置。
【請求項７】
前記フレームは、前記ヘッダ部とデータペイロード部とを含むことを特徴とする請求項１乃至６のいずれか１項に記載の通信装置。
【請求項８】
第１ヘッダ情報部及びスクランブル処理された第２ヘッダ情報部を含むヘッダ部を有するフレームの受信方法であって、
受信したフレームの前記第２ヘッダ情報部に対してそれぞれ異なるデスクランブル処理を行う複数のデスクランブラ工程と、
前記複数のデスクランブラ工程のそれぞれでデスクランブルされた各ヘッダ部に対してシンドローム演算を行う複数のシンドローム演算工程と、
前記複数のシンドローム演算工程のそれぞれで算出されたシンドローム値に応じて、前記複数のデスクランブラの内の一つでデスクランブルされたヘッダ部を受信ヘッダとして選択する選択工程と、
を有することを特徴とする受信方法。
【請求項９】
前記第１ヘッダ情報部はＰＨＹヘッダで、前記第２ヘッダ情報部はＭＡＣヘッダであることを特徴とする請求項８に記載の受信方法。
【請求項１０】
前記選択工程では、前記複数のシンドローム演算工程のそれぞれで算出されたシンドローム値の内、シンドローム値０に対応するデスクランブラによりデスクランブルされたヘッダ部を選択することを特徴とする請求項８又は９に記載の受信方法。
【請求項１１】
前記複数のシンドローム演算工程のそれぞれで算出されたシンドローム値のいずれもが０でない場合、前記第１ヘッダ情報部に含まれるスクランブルインデックスに対応するデスクランブラによりデスクランブルされたヘッダ部を選択することを特徴とする請求項１０に記載の受信方法。
【請求項１２】
前記複数のシンドローム演算工程のそれぞれは、前記ヘッダ部に含まれるチェックサムに基づいて、巡回冗長検査符号に従うシンドローム演算を行うことを特徴とする請求項８乃至１１のいずれか１項に記載の受信方法。
【請求項１３】
前記複数のデスクランブラ工程は、前記第２ヘッダ情報部に対してそれぞれ異なる擬似ランダムシーケンスを用いてデスクランブル処理を行うことを特徴とする請求項８乃至１２のいずれか１項に記載の受信方法。
【請求項１４】
前記フレームは、前記ヘッダ部とデータペイロード部とを含むことを特徴とする請求項８乃至１３のいずれか１項に記載の受信方法。
【請求項１５】
第１のヘッダ情報部及びスクランブル処理された第２のヘッダ情報部を含むヘッダ部を有するフレームをデコードするコーデックであって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部により算出されたシンドローム値のうち、所定の値のシンドローム値を算出したシンドローム演算部に対応するデスクランブラの出力を受信ヘッダ部として選択する選択手段と、
を有することを特徴とするコーデック。
【請求項１６】
前記選択手段は、前記複数のシンドローム演算部のそれぞれで算出されたシンドローム値のいずれもが前記所定の値でない場合、前記第１ヘッダ情報部に含まれるスクランブルインデックスの値に対応するデスクランブラによりデスクランブルされたヘッダ部を選択することを特徴とする請求項１５に記載のコーデック。
【請求項１７】
第１のヘッダ情報部及びスクランブル処理された第２のヘッダ情報部を含むヘッダ部を有するフレームをデコードするデコーダであって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部により算出されたシンドローム値のうち、所定の値のシンドローム値を算出したシンドローム演算部に対応するデスクランブラの出力を受信ヘッダ部として選択する選択手段と、
を有することを特徴とするデコーダ。
【請求項１８】
前記選択手段は、前記複数のシンドローム演算部のそれぞれで算出されたシンドローム値のいずれもが前記所定の値でない場合、前記第１ヘッダ情報部に含まれるスクランブルインデックスの値に対応するデスクランブラによりデスクランブルされたヘッダ部を選択することを特徴とする請求項１７に記載のデコーダ。
【請求項１９】
第１のヘッダ情報部及びスクランブル処理された第２のヘッダ情報部を含むヘッダ部を有するフレームをデコードする通信モジュールであって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部により算出されたシンドローム値のうち、所定の値のシンドローム値を算出したシンドローム演算部に対応するデスクランブラの出力を受信ヘッダ部として選択する選択手段と、
を有することを特徴とする通信モジュール。
【請求項２０】
前記選択手段は、前記複数のシンドローム演算部のそれぞれで算出されたシンドローム値のいずれもが前記所定の値でない場合、前記第１ヘッダ情報部に含まれるスクランブルインデックスの値に対応するデスクランブラによりデスクランブルされたヘッダ部を選択することを特徴とする請求項１９に記載の通信モジュール。
【請求項２１】
複数のモジュールにより構成される通信部であり、第１のヘッダ情報部及びスクランブル処理された第２のヘッダ情報部を含むヘッダ部を有するフレームをデコードする通信部であって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部により算出されたシンドローム値のうち、所定の値のシンドローム値を算出したシンドローム演算部に対応するデスクランブラの出力を受信ヘッダ部として選択する選択手段と、
を有することを特徴とする通信部。
【請求項２２】
前記選択手段は、前記複数のシンドローム演算部のそれぞれで算出されたシンドローム値のいずれもが前記所定の値でない場合、前記第１ヘッダ情報部に含まれるスクランブルインデックスの値に対応するデスクランブラによりデスクランブルされたヘッダ部を選択することを特徴とする請求項２１に記載の通信部。
【請求項２３】
第１のヘッダ情報部及びスクランブル処理された第２のヘッダ情報部を含むヘッダ部を有するフレームをデコードするデコード方法であって、
受信したフレームの前記第２ヘッダ情報部に対してそれぞれ異なるデスクランブル処理を行う複数のデスクランブラ工程と、
前記複数のデスクランブラ工程のそれぞれでデスクランブルされた各ヘッダ部に対してシンドローム演算を行う複数のシンドローム演算工程と、
前記複数のシンドローム演算工程により算出されたシンドローム値のうち、所定の値のシンドローム値が算出結果となったヘッダ部を受信ヘッダ部として選択する選択工程と、を有することを特徴とするデコード方法。
【請求項２４】
前記複数のシンドローム演算工程のそれぞれで算出されたシンドローム値のいずれもが前記所定の値でない場合、前記第１ヘッダ情報部に含まれるスクランブルインデックスの値に対応するデスクランブル処理を行う工程を更に有することを特徴とする請求項２３に記載のデコード方法。
【手続補正２】
【補正対象書類名】明細書
【補正対象項目名】０００６
【補正方法】変更
【補正の内容】
【０００６】
このヘッダ部３００は、無線フレームにおけるフレームの長さ、データ転送レート、その他のＰＨＹ層としての無線フレーム情報を保持するＰＨＹヘッダ部４００と、ＭＡＣプロトコルに関わる端末識別子などを保持するＭＡＣヘッダ部４０１を含む。更に、ＰＨＹヘッダ部４００とＭＡＣヘッダ部４０１との間には、送信機における畳み込み符号器及び受信機におけるビタビ復号器を初期状態に戻すためにＴＡＩＬビット４０２が配置される。またＰＨＹヘッダ部４００或はＭＡＣヘッダ部４０１に発生した誤りを検出或は訂正するためのチェックサムとして、ＨＣＳ４０３が末尾に付加される。ここで使用されるチェックサムは、生成多項式Ｇ（X）＝Ｘ16＋Ｘ12＋Ｘ5＋１による巡回冗長検証（ＣＲＣ）符号である。このようなＨＣＳの符号特性を用いて、ヘッダ部３００に発生したビット誤りを検出し、また訂正することが可能である。
【手続補正３】
【補正対象書類名】明細書
【補正対象項目名】００１２
【補正方法】変更
【補正の内容】
【００１２】
次にＨＣＳ生成部１０３によってＨＣＳが生成される。このＨＣＳ生成部１０３では、ＰＨＹヘッダ、ＴＡＩＬビット、ＭＡＣヘッダに対して、前述した生成多項式Ｇ（X）＝Ｘ16＋Ｘ12＋Ｘ5＋１によってＣＲＣ符号としてのＨＣＳを算出し、図６（ｃ）に示すように、その算出した１６ビットのＨＣＳをＭＡＣヘッダの後部に追加する。
【手続補正４】
【補正対象書類名】明細書
【補正対象項目名】００１３
【補正方法】変更
【補正の内容】
【００１３】
更にスクランブラ１０４によって、ヘッダ部及びデータペイロード部がスクランブル処理される。このスクランブラ１０４は、多項式Ｘ15＋Ｘ14＋１によって生成される擬似ランダムシーケンスと、ヘッダ部及びデータペイロード部との排他的論理演算によって実行される。ここで注意が必要なのは、図６（ｄ）に示すように、ヘッダ部の構成要素のうちＰＨＹヘッダ及びＴＡＩＬビットはスクランブル処理されず、ＭＡＣヘッダ以降だけがスクランブル処理の対象となる。更に、ＭＢＯＡ仕様によるスクランブラの初期状態は、無線フレームごとに４種類の内から１つが選択されるため、生成される擬似ランダムシーケンスも４種類から選択される。このスクランブル処理に用いられるこのような擬似ランダムシーケンスをスクランブルパタンと呼ぶ。この時選ばれたスクランブラ初期値を識別するために、ＰＨＹヘッダ内の２ビットのフィールド（ScramblerSeedフィールド）がスクランブルインデックスフィールドとして割り当てられる。これにより受信機は、このフィールドを参照することにより、送信側と同じ初期状態から生成される同じスクランブルパタンを用いて、受信データに対してスクランブルの逆演算、即ち、デスクランブル処理を行うことができる。もし受信機において、送信側と異なるスクランブルパタンによってデスクランブルすると、送信データとは全く異なった受信データを再生することになってしまう。このため、送信側と受信側で使用されるスクランブルパタンを一致させることが不可欠であり、ＭＢＯＡ仕様では送受信機器間でのスクランブルパタンを一致させるために、このスクランブルインデックスフィールドを用いてスクランブルパタン情報を共有している。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】変更
【補正の内容】
【００２９】
本発明の一態様に係る通信装置は以下のような構成を備える。即ち、
第１ヘッダ情報部及びスクランブル処理された第２ヘッダ情報部を含むヘッダ部を有するフレームを通信する通信装置であって、
受信したフレームの前記第２ヘッダ情報部に対してそれぞれ異なるデスクランブル処理を行う複数のデスクランブラと、
前記複数のデスクランブラのそれぞれでデスクランブルされた各ヘッダ部に対してシンドローム演算を行う複数のシンドローム演算部と、
前記複数のシンドローム演算部のそれぞれで算出されたシンドローム値に応じて、前記複数のデスクランブラの内の一つでデスクランブルされたヘッダ部を受信ヘッダとして選択する選択手段とを有することを特徴とする。
【手続補正７】
【補正対象書類名】明細書
【補正対象項目名】００３０
【補正方法】変更
【補正の内容】
【００３０】
本発明の一態様に係る通信装置におけるフレームの受信方法は以下のような工程を備える。即ち、
第１ヘッダ情報部及びスクランブル処理された第２ヘッダ情報部を含むヘッダ部を有するフレームの受信方法であって、
受信したフレームの前記第２ヘッダ情報部に対してそれぞれ異なるデスクランブル処理を行う複数のデスクランブラ工程と、
前記複数のデスクランブラ工程のそれぞれでデスクランブルされた各ヘッダ部に対してシンドローム演算を行う複数のシンドローム演算工程と、
前記複数のシンドローム演算工程のそれぞれで算出されたシンドローム値に応じて、前記複数のデスクランブラの内の一つでデスクランブルされたヘッダ部を受信ヘッダとして選択する選択工程とを有することを特徴とする。